(57)【要約】      （修正有）【課題】使用者の歩行を安定して補助することができる歩行補助杖を提供する。【解決手段】歩行補助杖は、所望する長さに伸縮自在な棒状の杖本体２と、杖本体２の上端部に取り付けられた握り部と、杖本体２の下端部に取り付けられた四方に延びる４本の脚部４１１を有する支持脚部４とを備えており、杖本体２の下端部を、支持脚部４の上面側中央部に対して使用者の歩行方向と対応する方向へ前後回動可能に連結している。【選択図】図８
0003209599.tif 000002
【実用新案登録請求の範囲】
【請求項１】
棒状の杖本体と、該杖本体の上端部に取り付けられた握り部と、前記杖本体の下端部に取り付けられた支持脚部とを備えた使用者の歩行を補助する歩行補助杖であって、
前記杖本体の下端部が、
前記支持脚部に対して前記使用者の歩行方向と対応する方向へ前後回動可能に連結された
歩行補助杖。
【請求項２】
前記杖本体の下端部を連結する凹状の上側受け部が、
前記支持脚部の上面側中央部に対して上向きに形成され、
前記杖本体を前記歩行方向と対応する方向に対して所定の傾き角度に回動規制する規制面が、
前記上側受け部内の前部及び後部に形成された
請求項１に記載の歩行補助杖。
【請求項３】
前記杖本体の下端部と前記上側受け部の底面部とを軸芯方向に当接する略平坦な支持面が、
前記杖本体の下端部と前記上側受け部の底面部とに形成された
請求項２に記載の歩行補助杖。
【請求項４】
前記杖本体と前記支持脚部とを連結する連結部材と、前記支持脚部の下面側に装着された操作部材とを備え、
前記操作部材の上部側を受ける凹状の下側受け部が、
前記支持脚部における前記上側受け部と反対側の下面側中央部に対して下向きに形成され、
前記支持脚部と前記操作部材とを前記軸芯方向に対して相対移動するカム部が、
前記操作部材及び前記下側受け部における前記軸芯方向に対向する部分に形成された
請求項２〜３のいずれか一つに記載の歩行補助杖。
【請求項５】
前記連結部材が、
前記支持脚部における前記上側受け部の底面部に形成された挿通孔に対して上下動可能に挿通され、
前記上側受け部の挿通孔より上方に突出された前記連結部材の上端部が、
前記杖本体の下端側中心部に対して前後回動可能に連結され、
前記上側受け部の挿通孔より下方に突出された前記連結部材の下端部が、
前記操作部材の上面側中心部に形成された挿通孔に対して上下動可能に挿通され、
前記操作部材の挿通孔より下方に突出された前記連結部材の下端部が、
該連結部材の下端部に螺着された螺合部材で抜止めされ、
前記杖本体の下端部を前記上側受け部の底面部に対して押し当てられる方向に付勢する付勢手段が、
前記支持脚部と前記操作部材とが対向する対向面間に装填された
請求項４に記載の歩行補助杖。
【請求項６】
前記杖本体が、
前記握り部が取り付けられた上部筒体と、前記支持脚部が連結された下部筒体とで構成され、
前記上部筒体及び前記下部筒体のうち一方の筒体が、他方の筒体の内部に対して摺動可能に挿入され、
前記上部筒体及び前記下部筒体からなる前記杖本体を所望する長さに伸縮調節された状態に固定する筒体固定手段が、前記一方の筒体の内部に設けられた
請求項１〜５のいずれか一つに記載の歩行補助杖。
【考案の詳細な説明】
【技術分野】
【０００１】
この考案は、例えば足腰が弱った高齢者や足腰に障害のある身体障害者等の使用者の歩行を補助するための歩行補助杖に関する。
【背景技術】
【０００２】
上述のような使用者の歩行を補助するための歩行補助杖としては、様々なものが多数提案されており、特許文献１に開示の歩行補助杖も、このような歩行補助杖の一つである。特許文献１の歩行補助杖は、杖本体の上端部に取り付けられた握り部と、杖本体の下端部に取り付けられた複数の脚部を有する支持脚部とを備えている。
【０００３】
しかし、歩行動作を開始する際に、歩行補助杖の握り部を使用者の手で把持したまま、杖本体の下端側を前方へ振り出し、杖本体の下端部に取り付けられた支持脚部を接地面に接地するが、支持脚部は杖本体の下端部に対して一体に固定されているため、支持脚部における後方側の脚部のみが接地面に接地され、前方側の脚部が浮いた状態となる。
【０００４】
使用者が前方側へ移動するのに伴い、杖本体を垂直に起立した状態に回動すると、支持脚部における後方側の脚部に続いて前方側の脚部が接地面に接地されるが、杖本体を後方側へ傾いた状態から垂直に起立した状態へ回動する途中と、杖本体を垂直に起立した状態から前方側へ傾いた状態へ回動する途中は、支持脚部における前後脚部のうちいずれか一方の脚部が接地面に接地されているだけであるため、使用者の体重を支えるのに必要な接地面積を確保することが難しい。
【０００５】
したがって、使用者の体重を杖本体にかけた際に、支持脚部の接地位置が移動したり、接地面から浮き上ったり、接地姿勢が傾いたりしやすく、支持脚部の前後脚部が接地面に接地されるまでは、使用者の体重を杖本体に対して安心してかけることができない。また、歩行補助杖の接地状態が不安定であるため、使用者が転倒したり、躓いたりしやすく、使用者の歩行を安定して補助することが困難である。
【先行技術文献】
【特許文献】
【０００６】
【特許文献１】特開２０１４−１１３１７１号公報
【考案の概要】
【考案が解決しようとする課題】
【０００７】
この考案は、使用者の歩行を安定して補助することができる歩行補助杖を提供することを目的とする。
【課題を解決するための手段】
【０００８】
この考案は、棒状の杖本体と、該杖本体の上端部に取り付けられた握り部と、前記杖本体の下端部に取り付けられた支持脚部とを備えた使用者の歩行を補助する歩行補助杖であって、前記杖本体の下端部を、前記支持脚部に対して前記使用者の歩行方向と対応する方向へ前後回動可能に連結したことを特徴とする。
【０００９】
この考案によれば、使用者の歩行を安定して補助することができる。  
詳しくは、歩行動作を開始する際に、歩行補助杖の握り部を使用者の手で把持したまま、杖本体の下端側を前方側へ振り出し、杖本体の下端部に連結された支持脚部を接地面に接地すると、支持脚部の後部側が接地面に先に接地されるが、杖本体の下端部に連結された部分を中心として支持脚部が前方側へ回動するため、後部側に続いて前部側が接地面に接地される。
【００１０】
支持脚部の前部側及び後部側を接地面に接地した状態のまま、使用者が前方側へ移動するのに伴い、杖本体を後方側へ傾いた状態から垂直に起立した状態へ回動し、杖本体を垂直に起立した状態から前方側へ傾いた状態へ回動する。
【００１１】
これにより、杖本体が支持脚部に対して後方側又は前方側へ傾いた状態に回動されても、支持脚部の略全体が接地面に接地された状態のままであるため、使用者の体重を支えるのに必要な接地面積を確保することができる。使用者の体重を杖本体にかけた際に、支持脚部の接地位置が移動したり、接地面から浮き上ったり、接地姿勢が横向きに傾いたりすることを防止できる。
【００１２】
この結果、使用者の体重を杖本体に対して安心してかけることができるとともに、使用者の体重や姿勢を安定して支えることができる。  
しかも、歩行補助杖の接地状態が安定しているため、使用者の足腰への負担を軽減することができるとともに、使用者が転倒したり、躓いたりすることを防止でき、使用者の歩行を安定して補助することができる。
【００１３】
この考案の態様として、前記杖本体の下端部を連結する凹状の上側受け部を、前記支持脚部の上面側中央部に対して上向きに形成し、前記杖本体を前記歩行方向と対応する方向に対して所定の傾き角度に回動規制する規制面を、前記上側受け部内の前部及び後部に形成してもよい。
【００１４】
この考案によれば、使用者の歩行をより安定して補助することができる。  
詳しくは、杖本体を前方側及び後方側へ傾いた状態に回動した際、杖本体における下端側の前後面が支持脚部の上側受け部内に形成された前部及び後部の規制面に当接されるため、支持脚部を前部及び後部の略全体が接地面に対して接地される角度に回動規制することができる。
【００１５】
これにより、支持脚部の略全体を接地面に対して確実に接地することができるとともに、使用者の体重を支えるのに必要な接地面積を確実に確保することができる。  
この結果、使用者の体重を杖本体に対してより安心してかけることができるとともに、使用者の体重や姿勢をより安定して支えることができる。
【００１６】
またこの考案の態様として、前記杖本体の下端部と前記上側受け部の底面部とを軸芯方向に当接する略平坦な支持面を、前記杖本体の下端部と前記上側受け部の底面部とに形成してもよい。
【００１７】
この考案によれば、使用者の歩行をより確実に安定して補助することができる。  
詳しくは、杖本体を支持脚部に対して垂直に起立された状態に回動した際、例えばスプリングや合成ゴム等の付勢手段によって、杖本体の下端部に形成された支持面が、上側受け部の底面部に形成された支持面に対して軸芯方向へ当接されるとともに、支持面同士が軸芯方向に当接された状態を保つことができる。
【００１８】
これにより、使用者の手を杖本体の握り部から離しても、杖本体が前方側又は後方側へ傾きにくく、杖本体を支持脚部に対して垂直に起立された状態に保つことができる。  
この結果、使用者の体重を杖本体に対してより確実に安心してかけることができるとともに、使用者の体重や姿勢をより確実に安定して支えることができる。
【００１９】
またこの考案の態様として、前記杖本体と前記支持脚部とを連結する連結部材と、前記支持脚部の下面側に装着された操作部材とを備え、前記操作部材の上部側を受ける凹状の下側受け部を、前記支持脚部における前記上側受け部と反対側の下面側中央部に対して下向きに形成し、前記支持脚部と前記操作部材とを前記軸芯方向に対して相対移動するカム部を、前記操作部材及び前記下側受け部における前記軸芯方向に対向する部分に形成してもよい。
【００２０】
この考案によれば、杖本体と支持脚部との連結を回動不可能に固定された状態と、固定が解除された状態とに切り替えることができる。  
詳しくは、操作部材を回動操作して、操作部材の上部側に形成されたカム部を、支持脚部の下側受け部に形成されたカム部に対して軸芯方向に当接すれば、連結部材が支持脚部の挿通孔より下方へ突出される方向へ移動され、杖本体の下端部が支持脚部に対して軸芯方向へ当接される。これにより、杖本体と支持脚部とが回動不可能に固定される。
【００２１】
操作部材を逆方向へ回動操作して、操作部材の上部側に形成されたカム部と、支持脚部の下側受け部に形成されたカム部との当接を解除すれば、カム部の高さに相当する移動量だけ、連結部材を支持脚部の挿通孔より上方へ突出される方向に移動することが可能となり、支持脚部に対する杖本体の軸芯方向への当接が解除される。これにより、杖本体と支持脚部との固定が解除される。
【００２２】
この結果、１本の歩行補助杖を、杖本体と支持脚部とが一体に固定された一般的な杖、あるいは、杖本体と支持脚部とが前後回動可能に連結された杖として使い分けることができる。
【００２３】
またこの考案の態様として、前記連結部材を、前記支持脚部における前記上側受け部の底面部に形成された挿通孔に対して上下動可能に挿通し、前記上側受け部の挿通孔より上方に突出された前記連結部材の上端部を、前記杖本体の下端側中心部に対して前後回動可能に連結し、前記上側受け部の挿通孔より下方に突出された前記連結部材の下端部を、前記操作部材の上面側中心部に形成された挿通孔に対して上下動可能に挿通し、前記操作部材の挿通孔より下方に突出された前記連結部材の下端部を、該連結部材の下端部に螺着された螺合部材で抜止めし、前記杖本体の下端部を前記上側受け部の底面部に対して押し当てられる方向に付勢する付勢手段を、前記支持脚部と前記操作部材とが対向する対向面間に装填してもよい。
【００２４】
上述の連結部材は、例えば連結ボルト、連結シャフト、あるいは、その他の棒状又は軸状を有する部材等で構成してもよい。螺合部材は、例えばナット、あるいは、その他の雌ねじ孔を有する部材等で構成してもよい。付勢手段は、例えばスプリング、合成ゴム、あるいは、その他の弾性を有する部材等で構成してもよい。
【００２５】
この考案によれば、使用者の歩行をより確実に安定して補助することができる。  
詳しくは、杖本体を後方側へ傾いた状態から垂直に起立した状態へ回動し、杖本体を垂直に起立した状態から前方側へ傾いた状態へ回動する際、付勢手段の付勢力に抗して、連結部材により連結された操作部材が支持脚部側へ引き下げられるとともに、杖本体に連結された連結部材の上端部が上側受け部の挿通孔より上方へ突出されるため、上側受け部の底面部に対する杖本体の押し当てが解除される。
【００２６】
これにより、使用者が前方側へ移動するのに伴い、杖本体を使用者の歩行方向と対応する方向へスムーズに前後回動することができるとともに、杖本体の下端部に連結された支持脚部の略全体を接地面に対してより確実に接地することができる。  
この結果、使用者の体重を杖本体に対してより確実に安心してかけることができるとともに、使用者の体重や姿勢をより確実に安定して支えることができる。
【００２７】
しかも、杖本体を垂直に起立された状態に回動した際、付勢手段の付勢力によって、杖本体の下端部が支持脚部における上側受け部の底面部に対して積極的に押し当てられるため、杖本体を支持脚部に対して垂直に起立された状態に保つことができる。
【００２８】
またこの考案の態様として、前記杖本体を、前記握り部が取り付けられた上部筒体と、前記支持脚部が連結された下部筒体とで構成し、前記上部筒体及び前記下部筒体のうち一方の筒体を、他方の筒体の内部に対して摺動可能に挿入し、前記上部筒体及び前記下部筒体からなる前記杖本体を所望する長さに伸縮調節された状態に固定する筒体固定手段を、前記一方の筒体の内部に設けてもよい。
【００２９】
上述の筒体固定手段は、例えばロックピン、屈曲バネを備えたロック機構等で構成してもよい。  
この考案によれば、杖本体を、使用者の歩行を補助するのに適した長さに伸縮調節することができる。
【００３０】
詳しくは、杖本体を構成する上部筒体及び下部筒体のうち一方の筒体を、他方の筒体に対して長手方向に摺動し、杖本体を所望する長さに伸縮調節した際に、筒体固定手段により筒体同士を所望する長さに伸縮調節された状態に固定する。
【００３１】
これにより、杖本体の長さを、使用者の背丈に応じて所望する長さに伸縮調節することができる。  
この結果、使用者の体重や姿勢をより確実に安定して支えることができるとともに、使用者の足腰への負担をより確実に軽減することができる。
【考案の効果】
【００３２】
この考案によれば、使用者の歩行を安定して補助することができる歩行補助杖を提供することができる。
【図面の簡単な説明】
【００３３】
【図１】歩行補助杖を斜め後方から見た斜視図。
【図２】杖本体に内蔵されたロック機構の拡大断面図。
【図３】図５に示す支持脚部のＡ−Ａ線矢視断面図。
【図４】支持脚部を幅方向の中央部で分断した断面図。
【図５】杖本体と支持脚部の連結部分を上方から見た断面図。
【図６】支持脚部に形成されたカム部の説明図。
【図７】切替え部材に形成されたカム部の説明図。
【図８】杖本体を前後方向に回動操作する際の説明図。
【図９】歩行補助杖を接地面に接地する際の動作説明図。
【考案を実施するための形態】
【００３４】
この考案の一実施形態を以下図面に基づいて詳述する。  
図１は歩行補助杖１を斜め後方から見た斜視図、図２は杖本体２に内蔵されたロック機構２３の拡大断面図、図３は図５に示す支持脚部４のＡ−Ａ線矢視断面図、図４は支持脚部４を幅方向Ｗの中央部で分断した断面図、図５は杖本体２と支持脚部４の連結部分を上方から見た断面図である。
【００３５】
図６は支持脚部４に形成されたカム部４４の説明図であり、詳しくは、図６（ａ）は支持脚部４のカム部４４が形成された部分を幅方向Ｗの中央部で分断した断面図、図６（ｂ）は支持脚部４のカム部４４を下方から見た底面図である。
【００３６】
図７は切替え部材５に形成されたカム部５２の説明図であり、詳しくは、図７（ａ）は切替え部材５のカム部５２を上方から見た平面図、図７（ｂ）はカム部５２が形成された切替え部材５を真横から見た側面図である。
【００３７】
なお、以下の説明における前後方向ＦＢとは、歩行補助杖１を操作する使用者の歩行方向と一致する方向であり、幅方向Ｗとは、平面方向において長手方向Ｌに直交する短手方向である。また、握り部３の基端側を前方Ｆとし、逆に、握り部３の遊端側を後方Ｂとしている。また、長手方向Ｌとは、前後方向ＦＢに対して垂直に直交する方向である。また、軸芯方向Ｓとは、長手方向Ｌと平行する方向である。
【００３８】
本考案の歩行補助杖１は、所望する長さに伸縮調節可能な棒状の杖本体２と、杖本体２の上端部に取り付けられた握り部３と、杖本体２の下端部に対して前後回動可能に取り付けられた４本足の支持脚部４とを備えている（図１参照）。
【００３９】
杖本体２は、断面略丸形状（又は断面略楕円形状）に形成された上部筒体２１と下部筒体２２とを備えている。上部筒体２１の内径は下部筒体２２の外径より大径に形成されており、上部筒体２１の内部に対して下部筒体２２の上端側が上下摺動可能に挿入されている。杖本体２の内部には、杖本体２を所望する長さに伸縮調節された状態に固定するロック機構２３が内蔵されている（図１、図２参照）。
【００４０】
握り部３は、使用者の手で把持することが可能な大きさ及び形状に形成されており、側面視略弧形状に形成された板状の支持部材３１を介して上部筒体２１の上端部に取り付けられている。支持部材３１は、握り部３が取り付けられた上端部と、上部筒体２１に固定された下端部との間に相当する部分が前方Ｆに向けて突出するように湾曲されている（図１、図２参照）。
【００４１】
支持部材３１の上端部は、握り部３における幅方向Ｗの中央部に挿入した後、図示しないねじ部材によって固定されている。支持部材３１の下端部は、上部筒体２１の上端側中心部に挿入した後、上部筒体２１の上端側外周面に装着した締付けリング３２によって締め付け固定されている（図１、図２参照）。
【００４２】
握り部３を支持する支持部材３１が側面視略弧形状に湾曲されているため、握り部３を使用者の手で把持する際に、支持部材３１を指の間に挟み込む必要が無く、握り部３における支持部材３１より後方Ｂ寄りの部分を把持することができる（図１参照）。
【００４３】
握り部３は杖本体２より前方Ｆ寄りに取り付けられているため、杖本体２を軸芯方向Ｓに延長した延長線上の位置で把持することができる。これにより、握り部３にかけられる使用者の体重を杖本体２で支えることができる（図１参照）。
【００４４】
ロック機構２３は、ロックピン２４と屈曲バネ２５とを備えている。ロックピン２４は、側面視略Ｕ形状に屈曲された屈曲バネ２５の一端側に対して外側に向けて取り付けられている。屈曲バネ２５の他端側は下部筒体２２の上端側内周面に対して係止又は固定されている（図２参照）。
【００４５】
ロックピン２４は、屈曲バネ２５に蓄積された復元力により、下部筒体２２に形成された挿通孔２２１を介して、上部筒体２１に形成されたロック孔２１１に対して係合される方向に付勢されている（図２参照）。
【００４６】
挿通孔２２１は、ロックピン２４と対向する下部筒体２２の上端側外周面に形成されている。ロック孔２１１は、上部筒体２１における挿通孔２２１と同一線上の外面に対して長手方向Ｌに所定間隔を隔てて多数配列されている（図１、図２参照）。
【００４７】
挿通孔２２１に挿通されたロックピン２４は、上部筒体２１に挿入された下部筒体２２を長手方向Ｌに摺動して、杖本体２を所望する長さに伸縮調節した際、上部筒体２１に形成された多数のロック孔２１１のうち一つのロック孔２１１に係合される。また、筒体２１，２２同士は、上部筒体２１の下端側外周面に装着したロックリング３３によって所望する長さに伸縮調節された状態で締め付け固定されている（図１、図２参照）。
【００４８】
支持脚部４は、四つ又形状に形成された脚部本体４１と、脚部本体４１に形成された四方に延びる４本の脚部４１１と、脚部４１１の下端側に装着された合成ゴム製の脚部キャップ４１２と、脚部本体４１に連結された下部筒体２２の下端側外面を覆う合成ゴム製の連結部カバー４１３とを備えている（図１、図３〜図５参照）。
【００４９】
４本の脚部４１１は、脚部本体４１の上面側中心部を通る垂直な軸芯を中心として、脚部本体４１から軸芯と直交する方向に放射状に延びて下方に垂下されている。脚部キャップ４１２は、脚部４１１の垂下側下端部に対して交換可能に装着されている（図３〜図５参照）。
【００５０】
連結部カバー４１３は、平面視略丸形状に形成された筒状の挿入部４１４と、前後方向ＦＢに長い平面視略楕円形状に形成された装着部４１５と、側面視略蛇腹形状に形成された蛇腹部４１６とを備えている。連結部カバー４１３の外観は、上端側から下端側に向けて徐々に末広がりとなる側面視略台形状に形成されている（図３〜図５参照）。
【００５１】
挿入部４１４の上面側中央部には、下部筒体２２の下端側を挿入する筒体挿入孔４１４１が形成されている。装着部４１５における前後方向ＦＢに対向する外周縁部には、後述するカバー装着溝４２４の係止孔４２５に係止される係止爪４１５１が形成されている（図３〜図５参照）。
【００５２】
脚部本体４１の上面側中央部には、下部筒体２２の下端部を連結する凹状の上側受け部４２が上向きに形成されている。脚部本体４１における上側受け部４２と反対側の下面側中央部には、後述する切替え部材５の上部側を受ける凹状の下側受け部４３が下向きに形成されている。上側受け部４２と下側受け部４３は同心円に形成されている（図３〜図６参照）。
【００５３】
上側受け部４２は、下端側から上端側に向けて徐々に広くなる上下逆台形状に形成されるとともに、前後方向ＦＢに長い平面視略楕円形状に形成されている。上側受け部４２の前後方向ＦＢは、杖本体２（下部筒体２２）を前後方向ＦＢに対して所定の傾き角度（約３０度）に回動操作することが可能な大きさ及び形状に形成されている（図３〜図６参照）。
【００５４】
上側受け部４２の底面部には、後述する受け部材２６の支持板２６２の支持面２６５に対して軸芯方向Ｓに当接される略平坦な支持面４２１が形成されている。支持面４２１は軸芯方向Ｓと直交して形成されるとともに、後述する受け部材２６の支持板２６２と対応する大きさ及び形状に形成されている（図３〜図６参照）。
【００５５】
上側受け部４２内の前部及び後部には、杖本体２（下部筒体２２）を前後方向ＦＢに対して所定の傾き角度（約１５度）に回動規制する規制面４２２が形成されている。規制面４２２は、支持面４２１を基準として前方Ｆ側及び後方Ｂ側に対して所定の傾き角度（約１５度）に形成されている（図３〜図５参照）。
【００５６】
上側受け部４２の外周縁部には、連結部カバー４１３の装着部４１５を装着するカバー装着溝４２４が形成されている。カバー装着溝４２４における前後方向ＦＢに対向する内周縁部には、連結部カバー４１３における装着部４１５の係止爪４１５１を係止する係止孔４２５が形成されている（図３〜図５参照）。
【００５７】
上側受け部４２の支持面４２１の中心部には、後述する連結ボルト６の角軸部６１を挿通する平面視略正方形の挿通孔４２３が下側受け部４３側に貫通して軸芯方向Ｓに形成されている（図３〜図５参照）。
【００５８】
下側受け部４３は、上端側から下端側に向けて略同径となる底面視略円筒形状に形成されている。下側受け部４３の上端側天井部には、後述する切替え部材５のカム部５２に対して軸芯方向Ｓに対向するカム部４４が形成されている（図３〜図５参照）。
【００５９】
カム部４４は、下方に向けて突出する上下逆台形状の山部４４１と、上方に向けて窪んだ台形状の谷部４４２とで構成されている。山部４４１と谷部４４２は、挿通孔４２３を中心として周方向に９０度偏心して交互に配置されている（図６参照）。
【００６０】
受け部材２６は、筒状に形成された支持部２６１と、平面視略正方形に形成された略平坦な支持板２６２とを備えている。受け部材２６の支持部２６１は下部筒体２２の下端部に挿入した後、下部筒体２２を介して径方向に圧入された抜止めピン２６３によって抜止め固定されている（図３〜図５参照）。
【００６１】
支持板２６２は、脚部本体４１における上側受け部４２の支持面４２１と対応する大きさ及び形状に形成され、支持部２６１の下端部に対して軸芯方向Ｓと直交して形成されている。支持板２６２の下面側には、上側受け部４２の支持面４２１に対して軸芯方向Ｓに当接される略平坦な支持面２６５が形成されている（図３〜図５参照）。
【００６２】
支持板２６２における挿通孔４２３と対向する中心部には、後述する連結ボルト６の角軸部６１を挿通する平面視略矩形状の挿通孔２６４が厚み方向に貫通して形成されている（図３〜図５参照）。
【００６３】
挿通孔２６４は、前後方向ＦＢに長い平面視略矩形状に形成されるとともに、後述する連結ボルト６の角軸部６１と略対応する断面形状に形成されている。挿通孔２６４の内面は、下端側から上端側に向けて前後方向ＦＢに徐々に広くなるように形成されるとともに、杖本体２（下部筒体２２）を前後方向ＦＢに対して所定の傾き角度（約３０度）に回動操作することが可能な大きさ及び形状に形成されている（図３〜図６参照）。
【００６４】
切替え部材５は、脚部本体４１の下側受け部４３に挿入される部材本体５１と、部材本体５１の上部側に形成されたカム部５２と、部材本体５１の下部側に形成された回動操作部５３とを備えている。部材本体５１の上端側は、脚部本体４１の下側受け部４３に対して上下摺動可能及び水平回動可能に挿入されている（図３、図４、図７参照）。
【００６５】
部材本体５１の上面側中心部には、後述する連結ボルト６の丸軸部６２を挿通する挿通孔５４が軸芯方向Ｓに貫通して形成されている。部材本体５１の上端側中央部には、スプリング９を装填する凹状の装填部５５が形成されている（図３、図４、図７参照）。
【００６６】
カム部５２は、上方に向けて突出する台形状の山部５２１と、下方に向けて窪んだ上下逆台形状の谷部５２２とで構成されている。山部５２１と谷部５２２は、挿通孔５４を中心として周方向に９０度偏心して交互に配置されている（図７参照）。
【００６７】
カム部５２の山部５２１はカム部４４の谷部４４２と合致し、カム部５２の谷部５２２はカム部４４の山部４４１と合致する大きさ及び形状に形成されている。カム部５２における山部５２１と谷部５２２との高低差は、カム部４４における山部４４１と谷部４４２との高低差と略同一に形成されている（図６、図７参照）。
【００６８】
連結ボルト６は、上端側に形成された断面略正方形の角軸部６１と、下端側に形成された断面略丸形状の丸軸部６２と、角軸部６１の上端に形成された平面視略丸形状の頭部６３とを備えている（図３〜図５参照）。
【００６９】
連結ボルト６の角軸部６１は、下部筒体２２の下端部を脚部本体４１の上側受け部４２に挿入した状態において、下部筒体２２に固定された受け部材２６の挿通孔２６４を介して、脚部本体４１の挿通孔４２３に挿通されている。連結ボルト６の頭部６３は、挿通孔２６４の上面側周縁部に係止されている（図３〜図５参照）。
【００７０】
連結ボルト６の丸軸部６２は、部材本体５１の装填部５５に装填されたスプリング９を介して、脚部本体４１の下側受け部４３に挿入された切替え部材５の挿通孔５４に挿通されている。挿通孔５４より下方に突出された丸軸部６２の突出側端部には、ワッシャ７を介してナット８が螺着されている（図３〜図５参照）。
【００７１】
丸軸部６２に装着されたスプリング９は、支持脚部４における脚部本体４１に形成されたカム部４４と、切替え部材５における部材本体５１に形成されたカム部５２とを互いに当接される方向に付勢している（図３〜図５参照）。
【００７２】
上述のように構成された歩行補助杖１を操作して、使用者の歩行を補助する際の動作について説明する。  
図８は杖本体２を前後方向ＦＢに回動操作する際の説明図、図９は歩行補助杖１を接地面Ｇに接地する際の動作説明図である。
【００７３】
歩行動作を開始する前に、切替え部材５を軸回りに９０度回動操作して、部材本体５１に形成されたカム部５２の山部５２１を、支持脚部４における脚部本体４１の下側受け部４３に形成されたカム部４４の谷部４４２と対向させるとともに、カム部５２の谷部５２２をカム部４４の山部４４１と対向させる（図８参照）。
【００７４】
これにより、山部４４１，５２１同士のうち一方の山部４４１（５２１）の高さに相当する移動量だけ、スプリング９に抗して切替え部材５及び連結ボルト６を軸芯方向Ｓへ上下動することが可能となり、杖本体２を支持脚部４に対して所定の傾き角度に前後回動することが可能となる。
【００７５】
歩行動作を開始する際に、歩行補助杖１の握り部３を使用者の手で把持したまま、杖本体２の下端側を前方Ｆへ振り出し、杖本体２の下端部に連結された支持脚部４を接地面Ｇに接地すると、後方Ｂ側の脚部４１１が先に接地面Ｇに接地される（図９（ａ）参照）。
【００７６】
下部筒体２２における受け部材２６の支持板２６２の後側角部と、脚部本体４１における上側受け部４２の面４２１，４２２同士が交わる後側角部との当接部分を支点として、杖本体２の下端部に連結された支持脚部４が前方Ｆ側へ回動するため、後方Ｂ側の脚部４１１に続いて前方Ｂ側の脚部４１１が接地面Ｇに接地される（図８、図９（ｂ）参照）。
【００７７】
支持脚部４における前後脚部４１１を接地面Ｇに接地した状態のまま、使用者が前方Ｆ側へ移動するのに伴い、杖本体２を図８中の二点鎖線で示す後方側へ傾いた状態から垂直に起立した状態へ回動し（図９（ａ）（ｂ）（ｃ）参照）、杖本体２を垂直に起立した状態から図８中の実線で示す前方側へ傾いた状態へ回動する（図９（ｃ）（ｄ）（ｅ）参照）。
【００７８】
杖本体２を垂直に起立した状態から前方側へ傾いた状態へ回動する際に、下部筒体２２における受け部材２６の支持板２６２の前側角部と、脚部本体４１における上側受け部４２の面４２１，４２２同士が交わる前側角部との当接部分を支点として前方Ｆ側へ回動する。
【００７９】
これにより、杖本体２が支持脚部４に対して後方Ｂ側又は前方Ｆ側へ傾いた状態に回動されても、支持脚部４における前後脚部４１１は接地面Ｇに接地された状態のままであるため、使用者の体重を支えるのに必要な接地面積を確保することができる。
【００８０】
支持脚部４における後方Ｂ側の脚部４１１が接地面Ｇから離れるまでは、使用者の体重や姿勢を確実に支えることができるため、使用者の体重を杖本体２にかけた際に、支持脚部４の接地位置が移動したり、接地面Ｇから浮き上ったり、接地姿勢が横向きに傾いたりすることを防止できる。
【００８１】
この結果、使用者の体重を杖本体２に対してより確実に安心してかけることができるとともに、使用者の体重や姿勢をより確実に安定して支えることができる。  
しかも、歩行補助杖１の接地状態が安定しているため、使用者の足腰への負担を軽減することができるとともに、使用者が転倒したり、躓いたりすることを防止でき、使用者の歩行を安定して補助することができる。
【００８２】
さらに、支持脚部４の前後脚部４１１を接地面Ｇに接した状態のまま、杖本体２を支持脚部４に対して前方Ｆ側及び後方Ｂ側へ傾いた状態に回動した際、杖本体２における下端側の前後周面が支持脚部４の上側受け部４２内に形成された前部及び後部の規制面４２２に当接されるため、支持脚部４を接地面Ｇに対して略全体が接地される角度に回動規制することができる。
【００８３】
これにより、支持脚部４の略全体を接地面Ｇに対して確実に接地することができるとともに、使用者の体重を支えるのに必要な接地面積を確実に確保することができる。杖本体２が支持脚部４に対して所定の傾き角度に回動された状態に回動規制されるため、支持脚部４が、前方Ｂ側及び後方Ｂ側の脚部４１１が接地面Ｇに対して接地される角度以上に前後回動することを防止できる。
【００８４】
さらにまた、杖本体２を支持脚部４に対して垂直に起立した状態に回動した際、スプリング９の復元力によって、下部筒体２２における受け部材２６の支持板２６２の支持面２６５と、脚部本体４１における上側受け部４２の支持面４２１とが軸芯方向Ｓに当接されるとともに、支持面２６５，４２１同士が軸芯方向Ｓに当接された状態を保つことができる。
【００８５】
これにより、使用者の手を杖本体２の握り部３から離しても、杖本体２が前方Ｆ又は後方Ｂへ傾きにくく、杖本体２を垂直に起立した状態に保つことができるため、使用者の体重や姿勢を、歩行補助杖１における垂直に起立された杖本体２と、接地面Ｇに接地された支持脚部４とでより確実に安定して支えることができる。
【００８６】
ナット８を締込み方向へ回動操作すると、スプリング９に蓄積される復元力が大きくなるため、カム部４４，５２同士及び支持面２６５，４２１同士を強く当接することができる。ナット８を緩む方向へ回動操作すると、スプリング９に蓄積される復元力が弱くなるため、カム部４４，５２同士及び支持面２６５，４２１同士の当接を弱くすることができる。  
これにより、杖本体２を支持脚部４に対して垂直に起立した状態に保つのに必要な保持力を可変調節することができる。
【００８７】
さらにまた、杖本体２と支持脚部４とを回動不可能に固定された状態と、固定が解除された状態とに切り替え操作する場合、切替え部材５を軸回りに９０度回動操作して、カム部４４，５２における山部４４１，５２１同士を軸芯方向Ｓに当接すれば、山部４４１，５２１のうち一方の高さに相当する移動量だけ、連結ボルト６が支持脚部４の上側受け部４２に形成した挿通孔４２３より下方へ突出される方向へ移動される。  
これにより、切替え部材５が支持脚部４の下方へ押し下げられるとともに、連結ボルト６を介して杖本体２が軸芯方向Ｓへ引き下げられる。
【００８８】
スプリング９の復元力によって、下部筒体２２における受け部材２６の支持板２６２の支持面２６５が、脚部本体４１における上側受け部４２の支持面４２１に対して軸芯方向Ｓに押し当てられるため、杖本体２を支持脚部４に対して回動不可能に固定することができる。  
これにより、歩行補助杖１を、杖本体２と支持脚部４とが一体に固定された一般的な杖として使用することができる。
【００８９】
また、切替え部材５を逆方向へ９０度回動操作して、カム部４４，５２における山部４４１，５２１同士の当接を解除すれば、山部４４１，５２１のうち一方の高さに相当する移動量だけ、切替え部材５及び連結ボルト６を軸芯方向Ｓへ上下動させることが可能となり、杖本体２と支持脚部４との固定が解除されるため、杖本体２を支持脚部４に対して前後回動することが可能となる。  
これにより、歩行補助杖１を、杖本体２と支持脚部４とが前後回動可能に連結された杖として使用することができる。
【００９０】
さらにまた、杖本体２における上部筒体２１に挿入された下部筒体２２を長手方向Ｌに摺動して、杖本体２を所望する長さに伸縮調節した際、ロック機構２３により所望する長さに伸縮調節された状態に固定する。
【００９１】
これにより、杖本体２の長さを、使用者の背丈に応じて所望する長さに伸縮調節することができるため、使用者の体重や姿勢をより確実に支えることができるとともに、使用者の足腰への負担をより確実に軽減することができる。
【００９２】
この考案の構成と、前記実施形態との対応において、  
この考案の操作部材は、実施形態の切替え部材５に対応し、  
以下同様に、  
連結部材は、連結ボルト６に対応し、  
螺合部材は、ナット８に対応し、  
付勢手段は、スプリング９に対応し、  
筒体固定手段は、ロック機構２３に対応するも、  
この考案は、上述の実施形態の構成のみに限定されるものではなく、請求項に示される技術思想に基づいて応用することができ、多くの実施の形態を得ることができる。  
上述の実施例では、杖本体２を前後方向ＦＢに回動する際の傾き角度を約３０度に設定した例について説明したが、例えば４０度、５０度等の角度に設定してもよい。
【符号の説明】
【００９３】
ＦＢ…前後方向
Ｆ…前方
Ｂ…後方
Ｌ…長手方向
Ｗ…幅方向
Ｓ…軸芯方向
Ｇ…接地面
１…歩行補助杖
２…杖本体
３…握り部
４…支持脚部
５…切替え部材
６…連結ボルト
８…ナット
９…スプリング
２１…上部筒体
２２…下部筒体
２３…ロック機構
２４…ロックピン
２１１…ロック孔
２２１…挿通孔
２５…屈曲バネ
２６…受け部材
２６１…支持板
２６５…支持面
４１…脚部本体
４１１…脚部
４２…上側受け部
４２１…支持面
４２２…規制面
４３…下側受け部
４４，５２…カム部
４４１，５２１…山部
４４２，５２２…谷部
【図１】
0003209599.tif 000003
【図２】
0003209599.tif 000004
【図３】
0003209599.tif 000005
【図４】
0003209599.tif 000006
【図５】
0003209599.tif 000007
【図６】
0003209599.tif 000008
【図７】
0003209599.tif 000009
【図８】
0003209599.tif 000010
【図９】
0003209599.tif 000011